(57)【特許請求の範囲】
【請求項１】
血圧を監視するのに使用するデバイスであって、
第１の血圧信号に基づいて第１の血圧測定値を監視するように構成されたコントローラを備え、前記コントローラが、
（１）前記第１の血圧信号の脈圧が、既定の閾値を超えた場合、
（２）ある期間中の前記第１の血圧信号の脈圧の変化が、既定の閾値を超えた場合、
（３）前記第１の血圧信号のｍｅｄ−ｄｉａ比が、既定の閾値を超えた場合
のうちの少なくとも一つの条件を満たす場合に第２の血圧信号に基づいて第２の血圧測定値の取得を開始するように構成され、
前記第１の血圧の測定値が前記第２の血圧の測定と所定量だけ異なる場合、前記第２の血圧の測定値に基づいて前記第１の血圧測定値を再較正するように構成される、デバイス。
【請求項２】
前記コントローラが、前記第１の血圧信号に基づいて計算された脈圧に基づいて前記第２の血圧測定値の取得を開始するようにさらに構成される、請求項１に記載のデバイス。
【請求項３】
前記コントローラが、前記脈圧が１５ｍｍＨＧ未満に降下した場合に前記第２の血圧測定値の取得を開始するように、及び／又は前記脈圧が１５０ｍｍＨＧを超えた場合に前記第２の血圧測定値の取得を開始するようにさらに構成される、請求項２に記載のデバイス。
【請求項４】
前記コントローラが、ある期間中の脈圧の変化が既定の閾値を超えた場合に前記第２の血圧測定値の取得を開始するようにさらに構成される、請求項１〜３のいずれか一項に記載のデバイス。
【請求項５】
前記期間が固定された期間である、請求項４に記載のデバイス。
【請求項６】
前記コントローラが、前記脈圧が前記期間中に５０％を超えて低減した場合、及び／又は前記脈圧が前記期間中に１００％を超えて増大した場合に、前記第２の血圧測定値の取得を開始するようにさらに構成される、請求項５に記載のデバイス。
【請求項７】
前記期間が９０秒である、請求項６に記載のデバイス。
【請求項８】
前記期間が既定の時点から後の期間である、請求項４に記載のデバイス。
【請求項９】
前記コントローラが、前記脈圧が以前の第２の血圧測定又は再較正から後に６０％を超えて低減した場合、及び／又は前記脈圧が以前の第２の血圧測定又は再較正から後に１５０％を超えて増大した場合に、前記第２の血圧測定値の取得を開始するようにさらに構成される、請求項８に記載のデバイス。
【請求項１０】
前記コントローラが、前記第１の血圧信号に基づいて計算されたｍｅｄ−ｄｉａ比に基づいて第２の血圧測定値の取得を開始するようにさらに構成される、請求項１〜９のいずれか一項に記載のデバイス。
【請求項１１】
前記コントローラが、前記ｍｅｄ−ｄｉａ比が既定の閾値を超えた場合に前記第２の血圧測定値の取得を開始するようにさらに構成される、請求項１０に記載のデバイス。
【請求項１２】
前記コントローラが、前記ｍｅｄ−ｄｉａ比が２１％未満に降下した場合に前記第２の血圧測定値の取得を開始するように、及び／又は前記ｍｅｄ−ｄｉａ比が５１％を超えた場合に前記第２の血圧測定値の取得を開始するようにさらに構成される、請求項１１に記載のデバイス。
【請求項１３】
前記コントローラが、第２の血圧測定値が既定の先行する期間中に取得されている場合に、及び前記第１の血圧測定値が前記第２の血圧測定値を考慮して再較正されなかった場合に、第２の血圧測定値の取得の開始を禁止するようにさらに構成される、請求項１〜１２のいずれか一項に記載のデバイス。
【請求項１４】
前記コントローラが、既定の先行する期間中に特定の既定の閾値を超えることに基づいて第２の血圧測定値が取得されていると共に前記第１の血圧測定値が再較正されなかった場合に、前記既定の閾値を超えることに基づいて第２の血圧測定値の取得の開始を禁止するようにさらに構成される、請求項１〜１３のいずれか一項に記載のデバイス。
【請求項１５】
腕カフ及び／又は指カフをさらに備える、請求項１〜１４のいずれか一項に記載のデバイス。
【請求項１６】
請求項１〜１５のいずれか一項に記載のデバイスを備える血行動態モニタ。
【請求項１７】
血圧を監視する方法であって、
第１の血圧信号を受信するステップと、
前記第１の血圧信号に基づいて第１の血圧測定値を監視するステップと、
（１）前記第１の血圧信号の脈圧が、既定の閾値を超えた場合、
（２）ある期間中の前記第１の血圧信号の脈圧の変化が、既定の閾値を超えた場合、
（３）前記第１の血圧信号のｍｅｄ−ｄｉａ比が、既定の閾値を超えた場合
のうちの少なくとも一つの条件を満たす場合に第２の血圧信号に基づいて第２の血圧測定値の取得を開始するステップと、
前記第１の血圧の測定値が前記第２の血圧の測定と既定量だけ異なる場合、前記第２の血圧の測定値に基づいて前記第１の血圧測定値を再較正するステップと、
を含む、方法。
【発明の詳細な説明】
【技術分野】
【０００１】
本発明は一般に、血圧の監視に使用するのに適したデバイス及び方法に関する。
【背景技術】
【０００２】
医学においては、例えば侵襲的処置の間中に血圧を監視することが望ましい場合が多い。血圧は、動脈ラインを使用して最も確実に測定される。動脈ラインの装着は侵襲的であり、最も一般的には麻酔下で行われる。
【０００３】
血圧を非侵襲的に測定する方法及び手段もまた知られている。血圧を非侵襲的に測定する最も一般的な方法は、上腕に巻かれた膨張可能カフによるものである。正確とはいえ、これらの測定では肢への血流が妨げられ、したがって、断続的に測定値を取得することしかできない。
【０００４】
調べられる動脈の血流を維持する血圧測定の代替方法が知られている。米国特許第６，６６９，６４８号、米国特許第７，３９０，３０１号及び米国特許第８，１１４，０２５号、並びに米国特許出願公開第２０１１／０１０５９１７号及び米国特許出願公開第２０１１／０１０５９１８号に記載された「脈管負荷軽減技法」では、指に装着された膨張可能カフによって血圧を連続的に測定する。この知られている方法では、調べられる動脈の血流を維持することができ、それによって、長期間の連続測定が可能になる。調べられる動脈の圧負荷及びうっ血は、第２の指に第２の指カフを装着し、血圧測定値を取得するときに２つのカフを交互に換えることによって制限される。
【０００５】
異なる測定技法を用いて、又は体の異なる箇所において取得された血圧測定値を直接比較することは、特に、例えば指の小さい動脈と主動脈の間の血圧の差により、可能ではない場合があることを理解されたい。この理由のために、血圧測定値を較正（ｃａｌｉｂｒａｔｅ）することが有益であり得る。
【発明の概要】
【課題を解決するための手段】
【０００６】
本発明の実施形態によれば、第１の血圧信号に基づいて第１の血圧測定値を監視するように構成されたコントローラを備える、血圧を監視するのに使用するデバイスが提供される。コントローラは、第１の血圧測定値が既定の閾値を超えた場合に第２の血圧信号に基づいて第２の血圧測定値の取得を開始するようにさらに構成される。第２の血圧測定値の取得を開始する決定は、第１の血圧測定値など、ただ１つの血圧測定値に基づく。血圧測定値の監視を単一の測定値に集中させることによって、患者の不快感がさらに低減される。
【０００７】
本発明の第２の実施形態によれば、第１の血圧信号を受信するステップと、第１の血圧信号に基づいて第１の血圧測定値を監視するステップと、第１の血圧測定値が既定の閾値を超えた場合に第２の血圧信号に基づいて第２の血圧測定値の取得を開始するステップとを含む、血圧を監視する方法が提供される。第２の血圧測定値の取得を開始する決定は、ただ１つの血圧測定値に基づく。
【０００８】
既定の閾値は、最小閾値又は最大閾値とすることができる。第１の血圧信号は、単一の指カフ（例えば、上記の米国特許に記載されている指カフの１つなど）から得られるものなど、連続的及び／又は非侵襲的血圧信号とすることができる。第２の血圧信号は、膨張可能腕カフを使用する測定器／血圧計（ｓｐｙｇｍａｍｏｍｅｔｅｒ）から供給又は獲得することができる。
【０００９】
血圧を監視するのに使用するデバイスは、第１及び／又は第２の血圧信号を取得するのに必要な一部又は全ての圧力カフ、又は他のデバイスをそれ自体で備えることができる。すなわちデバイスは、腕カフ及び／又は指カフを備えることができる。或いは、デバイスはただ単に、すでに臨床使用中の既知の血圧測定デバイスから血圧信号を受信する監視制御ユニットとすることもできる。デバイスは、血行動態モニタの一部を形成することができる。
【００１０】
第１の血圧測定値を監視する際、コントローラは、第１の血圧測定値の較正を確認するのはいつが好ましいかを（上記で論じられた閾値に従って）決定することができる。血圧測定値が既定の閾値を超えたときだけ較正測定を開始することによって、較正測定の回数が最少になる。これは、多数の二次較正測定が患者の不快感を引き起こすことがあり、また第１の血圧測定を一時的に妨げることがあるので、有利である。
【００１１】
コントローラは、第２の血圧測定値の取得を開始する決定を、第１の血圧信号を使用して計算された脈圧に基づかせるように構成することができる。脈圧（ＰＰ）は、収縮期圧（Ｐｓｙｓ）と拡張期圧（Ｐｄｉａ）の差であり、すなわち次式となる。
ＰＰ＝Ｐｓｙｓ−Ｐｄｉａ
【００１２】
コントローラは、脈圧が既定の閾値を超えた場合に第２の血圧測定値の取得を開始することができる。脈圧は通常、特定の範囲内にとどまる。健康な安静時の脈圧は、普通の大人で約３０〜４０ｍｍＨＧである。非常に高いか、又は非常に低い脈圧が測定された場合、このような値は、第１の血圧測定値の較正が確認を必要とする可能性があることを表示するものと解釈され得る。一実施形態では、コントローラは、脈圧が１５ｍｍＨＧ未満に降下した場合、及び／又は脈圧が１５０ｍｍＨＧを超えた場合に、第２の血圧測定値の取得を開始するように構成される。
【００１３】
加えて、又は別法として、短時間中に発生する大きな脈圧の変化は、血圧測定値の較正が確認されるべきことを表示するものであり得る。コントローラは、ある期間中の脈圧の変化が既定の閾値を超えた場合に第２の血圧測定値の取得を開始するように構成することができる。この期間は、先行する９０秒の間中など、固定された期間とすることができる。一実施形態でコントローラは、脈圧が９０秒以内に５０％を超えて低減した場合、及び／又は脈圧が９０秒以内に１００％を超えて増大した場合に、第２の血圧測定値の取得を開始するように構成される。
【００１４】
別法として、又は加えて、脈圧の変化は、ある固定された時点で開始した、ある期間中ずっと監視することができる。例えば、コントローラは、脈圧がすぐ前の最後の第２の血圧信号の取得から後に既定の量だけ変化した場合に、第２の血圧測定値の取得を開始するように構成することができる。以前の第２の血圧測定から後の６０％を超える脈圧の増大、及び／又は以前の第２の血圧測定から後の１５０％を超える脈圧の低減は特に、血圧測定値の較正の確認が望ましい状況を表すことが判明した。短期間中のこのような大きな脈圧の変動は、生理学的又は病理学的な事象の結果としては通常起こらず、したがって、第１の血圧信号の較正が確認を必要とすることのよい指標になり得る。
【００１５】
較正確認が必要であり得ることのよい指標になることが判明した別のパラメータは、ｍｅｄ−ｄｉａ比である。ｍｅｄ−ｄｉａ比は、平均動脈圧（ＭＡＰ）と拡張期圧（Ｐｄｉａ）の差を脈圧（ＰＰ）で割ったものであり、すなわち次式となる。
【数１】
0006319850.tif 000002
【００１６】
コントローラは、第１の血圧信号に基づいて計算されたｍｅｄ−ｄｉａ比に基づいて第２の血圧測定値の取得を開始するように構成することができる。コントローラは、ｍｅｄ−ｄｉａ比が既定の閾値を超えた場合に第２の血圧測定値の取得を開始するように構成することができる。一実施形態では、コントローラは、ｍｅｄ−ｄｉａ比が２１％未満に降下した場合、及び／又は５１％を超えた場合に第２の血圧測定値の取得を開始するように構成される。
【００１７】
第２の血圧測定値が受信／取得された後、第１の血圧測定値を第２の血圧測定値に基づいて再較正することができる。第１の血圧測定値の較正は、第１の血圧測定値を増幅すること、又はいくつかの値が第２の血圧測定値のものに密接に一致するようにバイアスを加えることを含み得る。他方で、第１と第２の血圧測定値が著しく異ならない場合には、第１の血圧測定値を正確なものとしてそのまま保持することができる。コントローラは、第１の血圧測定値が第２の血圧測定値と既定量だけ異なる場合に、第２の血圧測定値に基づいて第１の血圧測定値を較正するように構成することができる。コントローラは、例えば、第１と第２の血圧測定値の収縮期血圧値、又はこれら２つの測定値の拡張期血圧値、又は両方を比較するように構成／プログラムすることができる。第１と第２の血圧測定値の差異が１３ｍｍＨＧ以下である場合には、再較正は省略することができ、コントローラはそれに応じて構成できることが判明した。
【００１８】
較正確認の結果として再較正をすることにならなかった場合、すなわち、第１と第２の血圧測定値の間の差が、第１の血圧測定値を再較正する根拠とするには小さすぎると考えられた場合には、正確に較正されていることが分かっている測定値をデバイスが繰り返し確認することがないように、自動較正確認を一時的に禁止することが有利であり得る。一実施形態では、コントローラは、第２の血圧測定値が既定の先行する期間中に取得されていると共に第１の血圧測定値が再較正されなかった場合には、第２の血圧測定値の取得を開始するいかなるステップも禁止するように構成される。第２の血圧信号の取得の開始を禁止する決定は、複数の閾値のどれも、既定の期間内に第２の血圧信号を取得する必要性を評価するために使用されないように、コントローラによって適用することができる。
【００１９】
コントローラはまた、既定の先行する期間中に特定の既定の閾値を超えることに基づいて第２の血圧測定値が取得されていると共に第１の血圧測定値が再較正されなかった場合には、既定の閾値を超えることに基づいて第２の血圧測定値の取得を開始しないように構成することもできる。こうすることは、最大及び最小脈圧、又はｍｅｄ−ｄｉａ比などの絶対値の閾値では特に有利である。
【００２０】
本発明は、図面と併せて以下の詳細な説明から、より完全に理解され評価されよう。
【図面の簡単な説明】
【００２１】
【図１】本発明の実施形態による、連続的に血圧を測定し自動的に再較正するシステムの図である。
【図２】監視された血圧信号の較正を確認することが望ましいかどうかを決定する方法を詳述する流れ図である。
【図３Ａ】脈圧の定義を示す図である。
【図３Ｂ】血圧測定値の較正を示す図である。
【発明を実施するための形態】
【００２２】
図１は、本発明の実施形態による、連続的に血圧を監視し自動的に再較正するシステムを示す。血圧モニタ１００は、連続血圧信号を受信するために、連続ＢＰインターフェース１０６を介して１組の指カフ１２０（一度にそのうちの１つだけが使用される）に接続され、また、要求されたときに較正血圧信号を受信するために、較正ＢＰインターフェース１０８を介して腕カフ１４０に接続される。インターフェース１０６及び１０８はコントローラ１０２に接続され、このコントローラは、指カフ１２０及び腕カフ１４０からインターフェース１０６及び１０８を通して受信された血圧信号に基づいて、較正された連続血圧信号を計算することができる。コントローラは、メモリ１０４に収納された実行可能ソフトウェアコードに基づいて、その機能を実行する。コントローラ１０２は、較正された連続血圧信号を分析し、較正された連続血圧信号と関連付けられた閾値が既定の閾値を超えた場合、腕カフ血圧測定デバイス１４０に命令を送出して較正血圧測定値を取得する（図２を参照して論じられるように）。コントローラ１０２は、較正血圧値を取得するための腕カフ１４０への命令を、連続血圧測定の開始時、又はユーザインターフェース１１０を介してユーザから要求されたときなど、他の時間に送出することもできる。血圧信号は、将来の分析及び患者記録のために、メモリ１０４に収納することができる。
【００２３】
較正血圧信号は、コントローラ１０２で分析され、使用されて較正関数が計算される。較正関数は、コントローラ１０２で連続血圧信号に適用されて、較正された血圧信号が計算される。次に、較正された血圧信号は、出力部１１２を介して出力することができる。出力部１１２は、モニタ、ネットワーク接続部、メモリデバイス、又は他の出力部とすることができる。
【００２４】
指カフ１２０は、米国特許第６，６６９，６４８号及び米国特許第７，３９０，３０１号、並びに米国特許出願公開第２０１２／００５９２３３号に開示されたものなどとすることができる。２つの指の血圧を測定できる２つの指カフ１２０が設けられる。一度に１つの指が測定され、測定は、指に加わる不快感及び圧迫感を低減するために、それぞれの指の間で周期的に交換される。切換えによって、実施形態では新しい指の測定値が、何の腕カフ測定値も取得されることなく、最後の連続血圧値と照合して較正される。
【００２５】
指カフ１２０は、腕カフ１４０を付けている腕と反対の腕に装着して、指カフ１２０を用いた測定を妨げる腕カフ１４０の起動を回避することができる。或いは、腕カフ１４０と指カフ１２０を同じ腕に装着して、他方の腕を医療処置時に別に使用するために空けておくこともできる。血圧を連続測定する他の手段、及び較正血圧信号を提供する他の手段を使用できること、並びに本発明が、指カフ及び腕カフと一緒に機能することに限定されないことに留意されたい。
【００２６】
図２は、本発明の実施形態による、連続血圧信号が較正を必要とするかどうかを決定する方法２００を詳述する流れ図を示す。この方法は、上述の装置によって実施することができる。
【００２７】
測定値が記録される前に連続血圧信号はまず、較正血圧信号を使用して較正される（２１０）。連続血圧信号及び較正血圧信号は、例えば、図１にそれぞれ示された指カフ１２０及び腕カフ１４０を使用して得ることができる。較正測定で腕カフを使用することは、このような測定法が現在ではゴールドスタンダードと考えられているので好ましい。血圧信号が較正された後、較正された連続血圧測定値を取得することができる（２２０）。較正された血圧信号は継続的に監視されて、１つ又は複数の事前選択された閾値を超えたかどうかが確認される（２３０）。閾値の１つを超えた場合、新しい較正血圧測定値が取得される（２４０）。較正された連続血圧測定信号が既定の量だけ較正信号と異なる場合、連続血圧信号が再較正される（２６０）。較正された連続血圧信号が較正信号と異ならない場合、較正は不要であり、測定２２０が持続される。ステップ２３０で閾値を超えるたびに連続血圧信号が再較正されるようにステップ２５０を省略できることを理解されたい。連続血圧信号が再較正された後（２６０）、較正された連続血圧測定値が持続される（２２０）。継続的に血圧測定値を監視し、閾値を超えるたびに再較正することによって、測定精度を依然として確保しながら較正測定の回数を制限することができる。
【００２８】
図３Ａは、１つの心周期中の典型的な血圧変化を示す。縦座標は血圧を表示し、横座標は時間を示す。１心周期中の最大圧は収縮期圧（Ｐｓｙｓ）であり、最小圧は拡張期圧（Ｐｄｉａ）である。１心周期中の平均圧は平均動脈圧（ＭＡＰ）である。収縮期圧（Ｐｓｙｓ）と拡張期圧（Ｐｄｉａ）の差は脈圧（ＰＰ）になる。
ＰＰ＝Ｐｓｙｓ−Ｐｄｉａ
【００２９】
予測されるパターンからの脈圧の逸脱が、血圧測定値の較正が確認されるべきことをよく表示するものになることが判明した。特に、脈圧が既定の圧範囲から外れる場合、これは血圧測定がもはや正確ではないことを表示している可能性があることが判明した。例えば、約１５ｍｍＨＧ未満への脈圧の降下、又は約１５０ｍｍＨＧを超える脈圧の上昇は、通常の生理機能ではまずめったに起きないことが判明し、そのため、誤較正を表示していると確実に考えることができ、したがって、測定値の較正が確認されるべきことの指標と解釈することができる。
【００３０】
加えて、脈圧の急な変化は、測定値の較正がもはや正しくない可能性があることを表示し得ることが判明した。したがって、実施形態では、血圧測定値の較正を確認するための追加又は代替のトリガとして、脈圧の変化速度を使用する。較正を確認するための腕カフ測定は特に、脈圧が９０秒以内に５０％を超えて減少するか、又は９０秒以内に１００％を超えて増大した場合に起動される。このトリガ事象では、脈圧の変化速度を評価するのに既定の固定期間を使用するが、変化速度を評価する代替又は追加の方法では、設定／規定された時点以後の脈圧の変化量を考慮することになる。例えば、最後の較正又は較正確認から後の脈圧の大きな変化は、現在の較正を確認することが必要なことを表示している可能性がある。実施形態では、最後の較正若しくは較正確認から後に６０％を超えて脈圧が低減するか、又は最後の較正若しくは較正確認から後に１５０％を超えて脈圧が増大した場合に、信号が再較正される。
【００３１】
誤較正の確実な指標になることが判明した別のパラメータはｍｅｄ−ｄｉａ比であり、これは、平均動脈圧（ＭＡＰ）と拡張期圧（Ｐｄｉａ）の差を脈圧（ＰＰ）で割ったもの、すなわち、
【数２】
0006319850.tif 000003
である。ｍｅｄ−ｄｉａ比は、通常の休んでいる速度においてＭＡＰが、
【数３】
0006319850.tif 000004
のように近似することができるので、通常状態で約１／３である。較正の確認は、ｍｅｄ−ｄｉａ比が既定の帯域を外れた場合に必要になり得ることが判明した。特に、２１％（０．２１）未満、又は５１％（０．５１）超のｍｅｄ−ｄｉａ比が、較正確認の確実なトリガとして特定された。
【００３２】
短期間の変動をフィルタで除去するには、脈圧及びｍｅｄ−ｄｉａ比などの測定されたパラメータに移動平均を適用することができる。こうすることで信号対雑音比を改善して、血圧信号をより明瞭にすることが可能になるはずであり、また雑音若しくは短期間の誤較正により較正確認又は再較正を開始させないことが確実になるはずである。このような雑音又は短期間誤較正をフィルタリングする別の方法は、測定されたパラメータに適用されるメディアンフィルタであり、移動平均の代わりに移動窓の中心値が使用される。
【００３３】
閾値を超えると、較正測定値が取得される。この較正測定値を使用して連続血圧信号を較正することができるが、測定値の一貫性を維持するために、較正された連続血圧信号が較正測定値と既定量だけ異なる場合では、較正された連続血圧信号だけを再較正することが有益であり得る。較正された信号の収縮期圧又は拡張期圧が較正信号で測定されたものと１３ｍｍＨＧだけ異なる場合には、較正が必要であり得ることが判明した。
【００３４】
実施形態でユーザは、再較正、又は使用される指カフの交換をいつでも自由に要求できる。ユーザが較正測定値を要求した場合、又はユーザが指カフ測定を他方の指と交換することを要求した場合、較正された信号と較正信号の差にかかわらず、再較正が実施される。
【００３５】
較正測定値が較正された血圧測定値と十分に異ならない場合、システムは正しく較正されている可能性があり、デバイスは、自動再較正を既定の時間、例えば一実施形態では５分間、禁止する。さらに、較正確認が、最大脈圧などの閾値を超える絶対値の結果として開始され、再較正が必要ではない場合、その閾値は、血圧信号源が次に変更される／カフが次に指間で交換されるまでなど、その後のある期間無視することができる。
【００３６】
較正測定値はまた、指変更の間に取得することもできる。一実施形態では、較正測定値は、例えば、最後の指交換から後に、又は最後の較正測定から後に経過した時間が４分より長くなった場合に取得することができる。較正測定値が取得された場合、間隔が決められているどの指変更も遅らせることができる。
【００３７】
図３Ｂは、入力血圧信号及び第２の較正血圧信号に基づいて、較正された血圧信号をどのようにして計算することができるかを示す。入力血圧信号は、較正信号と同じ振幅、すなわち脈圧を有するように増幅される。この増幅された血圧信号は、平均動脈圧が較正信号と一致するようにバイアス圧だけオフセットされる。したがって、較正された最終の測定値は、較正信号と類似の収縮期圧及び拡張期圧を有するはずである。較正は、脈圧又は平均動脈圧の一方を照合することだけを含むことに留意されたい。同様に、他の係数を使用して入力信号を較正することができる。入力連続血圧信号をより正確に較正するために、複数の心周期（例えば連続血圧信号として記録された最後の１０回の拍動）中の平均値を使用することができる。
【００３８】
較正信号から計算された係数は、較正時点以後の入力連続血圧信号に継続的に適用される較正関数を形成するために使用される。各再較正が実施されると、新しい較正関数が計算され連続血圧信号に適用されて、較正された連続血圧測定値が得られる。
【００３９】
いくつかの実施形態が説明されたが、これらの実施形態は例示的にのみ提示されており、本発明の範囲を限定するものではない。実際、本明細書で説明された新規の方法、装置及びシステムは、様々な他の形態で具現化することができ、さらに、本発明の主旨から逸脱することなく、本明細書で説明された方法及びシステムの形態についての様々な省略、置換及び変更を加えることができる。添付の特許請求の範囲及びその等価物は、本発明の範囲及び趣旨に入るそのような形態又は修正を包含するものである。
【図１】
0006319850.tif 000005
【図２】
0006319850.tif 000006
【図３Ａ】
0006319850.tif 000007
【図３Ｂ】
0006319850.tif 000008